(57)【要約】【課題】看板照度の均一性を高めることができる看板照明器具を提供する。【解決手段】看板照明器具１０は、平坦面３８を有する基板１６と、発光面４４が平坦面３８に対して直交する方向に向くように平坦面３８に設けられた複数の発光ダイオード１８と、複数の発光ダイオード１８および配光部２０を光透過性を有する本体部５８で覆うように構成されたカバー２２とを備えている。複数の発光ダイオード１８のそれぞれの発光面４４には、発光面４４から出射された光の一部を基板１６の平坦面３８に対して平行となる方向に屈折させるレンズ体４６が設けられている。カバー２２は、その本体部５８が基板１６の平坦面３８に対して平行となる方向からレンズ体４６に対向するように構成されている。したがって、レンズ体４６から真横に進んだ光は、カバー２２の本体部５８を透過してカバー２２の外側に出る。【選択図】図５
2020004628.tif 000002
【特許請求の範囲】
【請求項１】
看板を照らすように構成された看板照明器具であって、
平坦面を有する基板と、
発光面が前記平坦面に対して直交する方向に向くように前記平坦面に設けられた複数の発光ダイオードと、
光透過性を有する本体部を有し、複数の前記発光ダイオードを前記本体部で覆うように構成されたカバーとを備え、
複数の前記発光ダイオードのそれぞれの前記発光面には、前記発光面から出射された光の一部を前記平坦面に対して平行となる方向に屈折させるレンズ体が設けられており、
前記カバーは、前記本体部が前記平坦面に対して平行となる方向から前記レンズ体に対向するように構成されている、看板照明器具。
【請求項２】
光透過性を有し、複数の前記発光ダイオードのそれぞれの前記発光面から前記レンズ体を通して出射された光を配光する配光部を備え、
複数の前記発光ダイオードのそれぞれは、互いに平行となる少なくとも３つの列を構成するように並べて配置されており、
前記列が延びる方向を縦方向とし、縦方向に対して直交する方向を横方向としたとき、前記配光部は、横方向の最も外側の前記列から出射された光を、横方向の中央の前記列から出射された光よりも横方向に広げるように構成されている、請求項１に記載の看板照明器具。
【請求項３】
横方向において互いに隣接する２つの前記列に着目したとき、一方の前記列を構成する複数の前記発光ダイオードは、他方の前記列を構成する複数の前記発光ダイオードに対して、縦方向にずれた位置に配置されている、請求項２に記載の看板照明器具。
【請求項４】
前記配光部を通して放射状に出射される光の出光領域を、横方向の中央の第１領域と、横方向の最も外側の第２領域と、第１領域と第２領域との間の第３領域とに区分したとき、前記配光部は、前記第３領域の光度が前記第１領域および前記第２領域のそれぞれの光度よりも高くなるように構成されている、請求項２または３に記載の看板照明器具。
【請求項５】
前記基板および前記カバーを支持する支持面を有するヒートシンクと、
前記ヒートシンクを支持体に取り付けるための取付部とを備え、
前記取付部は、前記看板の表面に対する前記列の傾斜角度を調整する角度調整機構を有している、請求項２ないし４のいずれか１項に記載の看板照明器具。
【発明の詳細な説明】
【技術分野】
【０００１】
本発明は、屋外に設置されている看板を照らすように構成された看板照明器具に関する。
【背景技術】
【０００２】
従来から、様々な種類の屋外用の照明器具がある。下記特許文献１に記載されたＬＥＤ照明器具は、街路灯や防犯灯として用いられる屋外用の照明器具であり、収容ボディ、ＬＥＤ光源およびグローブを備えている。ＬＥＤ光源は、収容ボディの内部に取り付けられており、ＬＥＤ光源で発生した光は、グローブに形成された光拡散部を通して路面などに照射される。このＬＥＤ照明器具によれば、ＬＥＤ光源を用いているので、水銀灯などに比べて電力消費量を少なく抑えることができる。
【先行技術文献】
【特許文献】
【０００３】
【特許文献１】特開２０１５−２３２９５９号
【０００４】
しかしながら、特許文献１に記載されたＬＥＤ照明器具では、ＬＥＤ光源の光軸に対して直交する方向において、収容ボディの一部がＬＥＤ光源と対向して配置されていたので、ＬＥＤ光源から出射された光を真横方向からＬＥＤ照明器具の外側に出すことができず、ＬＥＤ光源の真横方向における光度が著しく低くなっていた。したがって、このＬＥＤ照明器具を看板照明器具として用いた場合には、看板における光が照射された領域の外周部が著しく暗くなり、看板の表示内容が見え難くなるという問題があった。
【発明の概要】
【０００５】
本発明は上記問題に対処するためになされたものであり、看板照度の均一性を高めることができる看板照明器具を提供することを目的とする。
【０００６】
上記目的を達成するため、本発明に係る看板照明器具の特徴は、看板を照らすように構成された看板照明器具であって、平坦面を有する基板と、発光面が前記平坦面に対して直交する方向に向くように前記平坦面に設けられた複数の発光ダイオードと、光透過性を有する本体部を有し、複数の前記発光ダイオードを前記本体部で覆うように構成されたカバーとを備え、複数の前記発光ダイオードのそれぞれの前記発光面には、前記発光面から出射された光の一部を前記平坦面に対して平行となる方向に屈折させるレンズ体が設けられており、前記カバーは、前記本体部が前記平坦面に対して平行となる方向から前記レンズ体に対向するように構成されていることにある。
【０００７】
この構成では、発光ダイオードの発光面から出射された光の一部をレンズ体によって基板の平坦面に対して平行となる方向に屈折させた後、カバーの光透過性を有する本体部からカバーの外側に出すことができる。したがって、レンズ体の真横方向における光度が著しく低くなることを抑制でき、看板の照度の均一性を高めることができる。これにより、看板の表示内容を見え易くすることができる。
【０００８】
本発明に係る看板照明器具の他の特徴は、光透過性を有し、複数の前記発光ダイオードのそれぞれの前記発光面から前記レンズ体を通して出射された光を配光する配光部を備え、複数の前記発光ダイオードのそれぞれは、互いに平行となる少なくとも３つの列を構成するように並べて配置されており、前記列が延びる方向を縦方向とし、縦方向に対して直交する方向を横方向としたとき、前記配光部は、横方向の最も外側の前記列から出射された光を、横方向の中央の前記列から出射された光よりも横方向に広げるように構成されていることにある。
【０００９】
この構成では、配光部によって、横方向の最も外側の列から出射された光を、横方向の中央の列から出射された光よりも横方向に広げることができるので、横方向において光度が著しく低くなることを抑制でき、看板の照度の均一性を高めることができる。また、複数の看板照明器具を横方向に間隔を隔てて設置する場合には、隣接する２つの看板照明器具の間隔を長くすることができるので、１つの看板に対して使用する看板照明器具の総数を少なくすることができる。
【００１０】
本発明に係る看板照明器具の他の特徴は、横方向において互いに隣接する２つの前記列に着目したとき、一方の前記列を構成する複数の前記発光ダイオードは、他方の前記列を構成する複数の前記発光ダイオードに対して、縦方向にずれた位置に配置されていることにある。
【００１１】
この構成では、一方の列を構成する複数の発光ダイオードと他方の列を構成する複数の発光ダイオードとが、縦方向にずれた位置に配置されているので、縦方向に揃った位置に配置されている場合に比べて、看板の照度の均一性を高めることができる。
【００１２】
本発明に係る看板照明器具の他の特徴は、前記配光部を通して放射状に出射される光の出光領域を、横方向の中央の第１領域と、横方向の最も外側の第２領域と、第１領域と第２領域との間の第３領域とに区分したとき、前記配光部は、前記第３領域の光度が前記第１領域および前記第２領域のそれぞれの光度よりも高くなるように構成されていることにある。
【００１３】
この構成において、看板照明器具から看板までの光路の距離は、光が真直ぐに進む第１領域において最も短くなるため、第１領域の光度が低くても、第１領域の光で照らされた看板の照度は低くなり難い。また、看板照明器具から看板までの光路の距離は、光が斜めに進む第２領域において最も長くなるが、複数の看板照明器具を横方向に並べて設置する使用態様（通常の使用態様）では、互いに隣接する２つの看板照明器具の第２領域が重なるため、第２領域の光で照らされた看板の照度は低くなり難い。上記構成では、第３領域の光度が第１領域および第２領域のそれぞれの光度よりも高くなるので、全体として、看板の照度は低くなり難く、看板の照度の均一性を高めることができる。
【００１４】
本発明に係る看板照明器具の他の特徴は、前記基板および前記カバーを支持する支持面を有するヒートシンクと、前記ヒートシンクを支持体に取り付けるための取付部とを備え、前記取付部は、前記看板の表面に対する前記列の傾斜角度を調整する角度調整機構を有していることにある。
【００１５】
この構成では、複数の発光ダイオードのそれぞれで発生した熱を基板からヒートシンクに伝えて大気中に放散することができる。また、取付部が角度調整機構を有しているので、看板の表面に対する発光ダイオードの列の傾斜角度を現場の状況に応じて適宜調整することができる。
【図面の簡単な説明】
【００１６】
【図１】実施形態に係る看板照明器具の構成を示す斜視図である。
【図２】実施形態に係る看板照明器具の構成を示す横断面図である。
【図３】実施形態に係る看板照明器具の構成を示す分解斜視図である。
【図４】実施形態に係る看板照明器具の一部の構成を示す分解斜視図である。
【図５】発光ダイオードおよびレンズ体の態様を示す図であり、（Ａ）はこれらの構成を示す斜視図、（Ｂ）はこれらとカバーとの位置関係を示す断面図である。
【図６】（Ａ）は実施形態に係る看板照明器具を使用した場合の看板の照度分布を示す図、（Ｂ）は一般的なＬＥＤ照明器具を使用した場合の看板の照度分布を示す図である。
【発明を実施するための形態】
【００１７】
以下、本発明に係る看板照明器具の実施形態について図面を参照しながら説明する。
【００１８】
（看板照明器具１０の構成）
図１は、実施形態に係る看板照明器具１０の構成を示す斜視図である。図２は、看板照明器具１０の構成を示す横断面図である。図３は、看板照明器具１０の構成を示す分解斜視図である。図４は、看板照明器具１０の一部の構成を示す分解斜視図である。これらの各図は、本発明の理解を容易にするために、一部の構成要素を誇張して表わすなど模式的に表している。そのため、各構成要素間の寸法や比率などは実物とは異なっていることがある。なお、以下の説明で用いる「横方向」および「縦方向」は、図中に矢印で示した「横」および「縦」の各方向と一致している。
【００１９】
図１に示す看板照明器具１０は、図６（Ａ）に示す看板Ｋを照らすように構成された屋外用の照明器具であり、看板Ｋの前方斜め上方に設けられた支持体１２に取り付けて使用される。
【００２０】
図２に示すように、看板照明器具１０は、ヒートシンク１４、基板１６、複数の発光ダイオード（ＬＥＤ）１８、配光部２０およびカバー２２を備えている。また、図１に示すように、看板照明器具１０は、電力供給部２４および取付部２６を備えている。なお、図２では、基板１６および配光部２０を除く部品を断面で示している。
【００２１】
図３に示すように、ヒートシンク１４は、基板１６およびカバー２２を面で支持する支持面２８ａを有するブロック状の部品であり、アルミニウムなどの熱伝導率の高い金属材料によって形成されている。本実施形態のヒートシンク１４は、長方形の支持面２８ａを有する直方体状に形成されており、ヒートシンク１４における支持面２８ａとは反対側の面２８ｂには、複数のフィン３０が長さ方向に延びて互いに平行に形成されている。
【００２２】
また、支持面２８ａには、基板１６および配光部２０を固定するための固定ネジ３２が螺合される複数（本実施形態では１２個）のネジ穴（図示省略）と、カバー２２を固定するための固定ネジ３４が螺合される複数（本実施形態では１８個）のネジ穴３６とが形成されている。なお、本実施形態では、ヒートシンク１４の長さ方向が「縦方向」と一致しており、ヒートシンク１４の幅方向が「横方向」と一致している。
【００２３】
図４に示すように、基板１６は、平坦面３８を有する長方形の板状の部品であり、基板１６には、複数（本実施形態では６０個）の発光ダイオード１８のそれぞれに電力を供給するための電気配線（図示省略）と、電気配線に電気的に接続されたソケット４０とが設けられている。また、基板１６には、固定ネジ３２が挿通される複数（本実施形態では１１個）の貫通孔４２ａと、固定ネジ３２が挿通される１つのスリット４２ｂとが形成されている。
【００２４】
図５は、発光ダイオード１８およびレンズ体４６の態様を示す図であり、（Ａ）はこれらの構成を示す斜視図、（Ｂ）はこれらとカバー２２との位置関係を示す断面図である。図５（Ａ）に示すように、複数の発光ダイオード１８のそれぞれは、光を出射させる発光面４４を有する発光素子である。各発光ダイオード１８の発光面４４には、発光面４４から出射された光の一部を基板１６の平坦面３８に対して平行となる方向に屈折させるレンズ体４６が設けられている。本実施形態のレンズ体４６は、合成樹脂によって半球状に形成されており、円形の底面（図示省略）から入射された光を半球面４６ａの全体から出射させることができるように構成されている。したがって、図５（Ｂ）中に破線で示すように、半球面４６ａにおける発光面４４に近接した部分から出射された光は、光透過性を有する配光部２０の内部を、基板１６の平坦面３８に対して平行となる方向に進んだ後、カバー２２の光透過性を有する本体部５８を透過してカバー２２の外側に出る。
【００２５】
図５（Ａ）に示すように、複数の発光ダイオード１８のそれぞれは、その発光面４４が基板１６の平坦面３８に対して直交する方向に向くようにして平坦面３８に設けられている。図４に示すように、複数の発光ダイオード１８のそれぞれは、互いに平行となる５つの列４８ａ〜４８ｅを構成するように並べて配置されている。各列４８ａ〜４８ｅは、縦方向に直線状に延びて、横方向に互いに一定の間隔を隔てて配置されている。つまり、本実施形態では、各列４８ａ〜４８ｅが延びる方向が「縦方向」と一致しており、各列４８ａ〜４８ｅが互いに離間する方向が「横方向」と一致している。
【００２６】
図４に示すように、横方向において互いに隣接する２つの列（例えば、列４８ａおよび４８ｂ）に着目したとき、一方の列（例えば、列４８ａ）を構成する複数の発光ダイオード１８は、他方の列（例えば、列４８ｂ）を構成する複数の発光ダイオード１８に対して、縦方向にずれた位置に配置されている。
【００２７】
図４に示す配光部２０は、複数の発光ダイオード１８のそれぞれの発光面４４（図５（Ａ））からレンズ体４６を通して出射された光を配光する部品であり、光透過性を有する合成樹脂によって板状に形成されている。配光部２０は、５つの列４８ａ〜４８ｅのうち横方向の最も外側（左右両側）の列４８ａ，４８ｅを構成する複数の発光ダイオード１８の一部に対応する複数の第１レンズ部５０と、当該複数の発光ダイオード１８の他の一部を露出させる複数の貫通孔５２とを有している。また、配光部２０は、５つの列４８ａ〜４８ｅのうち横方向の両側の列４８ａ，４８ｅよりも中央側の列４８ｂ，４８ｃ，４８ｄを構成する複数の発光ダイオード１８に対応する複数の第２レンズ部５４を有している。
【００２８】
複数の第１レンズ部５０のそれぞれは、発光ダイオード１８の発光面４４（図５（Ａ））からレンズ体４６を通して出射された光を縦方向よりも横方向に広げるように（すなわち横方向に分配するように）構成されている。一方、複数の第２レンズ部５４のそれぞれは、発光ダイオード１８の発光面４４（図５（Ａ））からレンズ体４６を通して出射された光を横方向よりも縦方向に広げるように（すなわち縦方向に分配するように）構成されている。換言すると、配光部２０は、横方向の最も外側の列４８ａ，４８ｅから出射された光を、横方向の中央の列４８ｂ，４８ｃ，４８ｄから出射された光よりも横方向に広げるように（すなわち横方向に分配するように）構成されている。
【００２９】
また、図２に示すように、配光部２０を通して放射状に出射される光の出光領域Ｓを、横方向の中央の第１領域Ｓ１と、横方向の最も外側の第２領域Ｓ２と、第１領域Ｓ１と第２領域Ｓ２との間の第３領域Ｓ３とに区分したとき、配光部２０は、第３領域Ｓ３の光度が第１領域Ｓ１および第２領域Ｓ２のそれぞれの光度よりも高くなるように構成されている。
【００３０】
そして、図４に示すように、配光部２０には、固定ネジ３２が挿通される複数（本実施形態では１１個）の貫通孔５６ａと、固定ネジ３２が挿通される１つのスリット５６ｂとが形成されている。
【００３１】
図２に示すように、カバー２２は、複数の発光ダイオード１８および配光部２０を覆うようにヒートシンク１４の支持面２８ａに設けられた部品であり、アクリル樹脂などの光透過性を有する合成樹脂によって形成された本体部５８と、本体部５８と支持面２８ａとの間に介在されたシート状のクッション材６０とを有している。本体部５８は、複数の発光ダイオード１８のそれぞれに対して、配光部２０を介して対向する対向部６２と、対向部６２の外周縁に形成された側壁部６４と、側壁部６４におけるヒートシンク１４側の端部に形成された鍔部６６とを有している。つまり、本体部５８は、複数の発光ダイオード１８および配光部２０を覆うように構成されている。
【００３２】
対向部６２は、横方向において緩やかに湾曲した曲板状に形成されており、対向部６２の内表面６２ａには、光を拡散させるための微細な凹凸が形成されている。したがって、対向部６２は、完全な透明ではなく、半透明となっている。鍔部６６は、ヒートシンク１４の支持面２８ａに対して平行となる平板状に形成されており、鍔部６６における支持面２８ａと対向する対向面６６ａには、クッション材６０が貼り付けられている。
【００３３】
また、図３に示すように、鍔部６６における対向面６６ａとは反対側の面６６ｂには、複数の補強リブ６８が縦方向に延びて形成されており、鍔部６６およびクッション材６０における補強リブ６８から外れた部分には、固定ネジ３４が挿通される複数（本実施形態では１８個）の貫通孔７０が形成されている。さらに、側壁部６４におけるヒートシンク１４の縦方向一方端部に対応する部分の外面には、ソケット４０に接続されるプラグ（図示省略）を有する電力供給部２４が設けられており、電力供給部２４のプラグには、電力線７２が電気的に接続されている。
【００３４】
図５（Ｂ）に示すように、クッション材６０の厚さは、基板１６および発光ダイオード１８を合わせた部分の厚さよりも十分に薄くされている。したがって、発光ダイオード１８の発光面４４に設けられたレンズ体４６の真横には、カバー２２の本体部５８が配置されている。つまり、カバー２２は、光透過性を有する本体部５８が基板１６の平坦面３８に対して平行となる方向からレンズ体４６に対向するように構成されている。
【００３５】
図３に示す取付部２６は、ヒートシンク１４を支持体１２（図６（Ａ））に取り付けるための部品であり、ステンレスなどの金属からなる板材を略Ｕ字状に曲げることによって構成されている。取付部２６は、支持体１２にボルトおよびナットなどで固定される固定部７４と、固定部７４の横方向両端部から屈曲して形成された一対の支持部７６ａ，７６ｂとを有している。
【００３６】
支持部７６ａ，７６ｂの先端部には、ヒートシンク１４の回動中心となる複数（本実施形態では４つ）の貫通孔７８と、ヒートシンク１４を角度調整可能に固定するための複数（本実施形態では７つ）の貫通孔８０とが形成されている。そして、複数（本実施形態では４つ）の貫通孔７８のいずれか１つにボルト８２が挿通されており、このボルト８２がヒートシンク１４の側面に形成されたネジ穴（図示省略）に螺合されている。また、複数（本実施形態では７つ）の貫通孔８０のいずれか１つにボルト８４が挿通されており、このボルト８４がヒートシンク１４の側面に形成されたネジ穴（図示省略）に螺合されている。したがって、ボルト８４が挿通される貫通孔８０を変更することによって、看板Ｋ（図６（Ａ））の表面に対する発光ダイオード１８の各列４８ａ〜４８ｅ（図４）の傾斜角度を変更することができる。つまり、本実施形態では、貫通孔７８，８０およびボルト８２，８４によって、看板Ｋ（図６（Ａ））の表面に対する発光ダイオード１８の各列４８ａ〜４８ｅ（図４）の傾斜角度を調整する角度調整機構８６が構成されている。
【００３７】
（看板照明器具１０の使用方法）
図６（Ａ）は、看板照明器具１０を使用した場合の看板Ｋの照度分布を示す図であり、図６（Ｂ）は、一般的なＬＥＤ照明器具Ｗを使用した場合の看板Ｋの照度分布を示す図である。看板照明器具１０を使用する際には、図６（Ａ）に示す看板Ｋの前方斜め上方に複数のアーム状の支持体１２を一定の間隔で設置する。そして、複数の支持体１２のそれぞれに対して、看板照明器具１０を取り付ける。看板照明器具１０を支持体１２に取り付ける際には、図３に示す固定部７４を図示しないボルトおよびナットを用いて支持体１２に固定する。
【００３８】
看板照明器具１０の総数、看板照明器具１０の位置および隣接する２つの看板照明器具１０の間隔などは、看板Ｋの大きさ、看板照明器具１０から看板Ｋに至る光路の距離、看板照明器具１０の出力および出光領域Ｓ（図２）の幅などを考慮して、看板Ｋの照度にむらが生じ難いように設計する。図６（Ａ）に示した使用例では、看板Ｋの横方向長さが１００００ｍｍ（１０ｍ）、看板Ｋの上下方向長さが３５００ｍｍ（３．５ｍ）となっている。そこで、４つのアーム状の支持体１２を用いて、４つの看板照明器具１０のそれぞれを看板Ｋの上端部から１０００ｍｍ（１ｍ）前方に配置し、かつ、隣接する２つの看板照明器具１０を２７００ｍｍ（２．７ｍ）の間隔を隔てて配置している。
【００３９】
また、看板Ｋの表面に対する発光ダイオード１８の各列４８ａ〜４８ｅ（図４）の傾斜角度は、看板Ｋに対する看板照明器具１０の位置、看板Ｋの上下方向長さおよび配光部２０（図２）の配光特性などを考慮して、看板Ｋの照度にむらが生じ難いように調整する。図６（Ａ）に示した使用例では、看板Ｋの表面に対する各列４８ａ〜４８ｅ（図４）の傾斜角度を６０度に調整している。
【００４０】
支持体１２に取り付けられた複数の看板照明器具１０を点灯させる際には、各看板照明器具１０の各発光ダイオード１８に電力線７２から電力を供給する。すると、図５（Ｂ）に示すように、各発光ダイオード１８の発光面４４からレンズ体４６を通して光が出射され、この光が配光部２０を通して屈折されるとともに、カバー２２を通して拡散されて、看板Ｋの表面に照射される。
【００４１】
（実施形態の効果）
本実施形態によれば、上記構成により以下の各効果を奏することができる。すなわち、図５（Ｂ）に示すように、発光ダイオード１８の発光面４４から出射された光の一部をレンズ体４６によって基板１６の平坦面３８に対して平行となる方向に屈折させた後、光透過性を有するカバー２２の本体部５８からカバー２２の外側に出すことができる。したがって、レンズ体４６の真横方向における光度が著しく低くなることを抑制でき、看板Ｋの照度の均一性を高めることができる。これにより、看板Ｋの表示内容を見え易くすることができる。
【００４２】
また、図４に示す配光部２０によって、横方向の最も外側の列４８ａ，４８ｅから出射された光を、横方向の中央の列４８ｂ，４８ｃ，４８ｄから出射された光よりも横方向に広げることができるので、出光領域Ｓ（図２）の横方向端部において光度が著しく低くなることを抑制でき、看板Ｋの照度の均一性を高めることができる。また、このような効果を得られることから、複数の看板照明器具１０を横方向に間隔を隔てて設置する場合には、隣接する２つの看板照明器具１０の間隔を長くすることができ、１つの看板Ｋに対して使用する看板照明器具１０の総数を少なくすることができる。
【００４３】
図４に示すように、横方向において互いに隣接する２つの列（例えば、列４８ａ，４８ｂ）に着目したとき、一方の列（例えば、列４８ａ）を構成する複数の発光ダイオード１８は、他方の列（例えば、列４８ｂ）を構成する複数の発光ダイオード１８に対して、縦方向にずれた位置に配置されているので、縦方向に揃った位置に配置されている場合に比べて、看板Ｋの照度の均一性を高めることができる。
【００４４】
図２に示すように、看板照明器具１０から看板Ｋに至る光路の距離は、光が真直ぐに進む第１領域Ｓ１において最も短くなるため、第１領域Ｓ１の光度が低くても、第１領域Ｓ１の光で照らされた看板Ｋの照度は低くなり難い。また、看板照明器具１０から看板Ｋに至る光路の距離は、光が斜めに進め第２領域Ｓ２において最も長くなるが、横方向において隣接する２つの看板照明器具１０の第２領域Ｓ２が重なるため、第２領域Ｓ２の光で照らされた看板Ｋの照度は低くなり難い。さらに、配光部２０は、第３領域Ｓ３の光度が第１領域Ｓ１および第２領域Ｓ２のそれぞれの光度よりも高くなるように構成されているので、第３領域Ｓ３の光で照らされた看板Ｋの照度は低くなり難い。したがって、全体として、看板Ｋの照度の均一性を高めることができる。
【００４５】
図６（Ａ），（Ｂ）において、符合Ｄで示した領域は、照度が１００ｌｘ（ルクス）程度の領域であり、符合Ｅで示した領域は、照度が２００ｌｘ程度の領域であり、符合Ｆで示した領域は、照度が３００ｌｘ程度の領域である。また、符合Ｇで示した領域は、照度が５００ｌｘ程度の領域であり、符合Ｈで示した領域は、照度が７００ｌｘ（ルクス）程度の領域である。看板Ｋの照明では、照度が５００ｌｘ程度の領域Ｇが広く分布していることが望ましく。領域Ｇの面積が同じ程度であれば、看板照明器具１０の総数が少ないことが経済的に望ましい。図６（Ａ），（Ｂ）を見ると、本実施形態の看板照明器具１０を使用した場合（図６（Ａ））には、一般的なＬＥＤ照明器具Ｗを使用した場合（図６（Ｂ））に比べて、少ない照明器具の数で、同等の領域Ｇの面積を確保できることが分かる。
【００４６】
図３に示すように、上記実施形態では、看板照明器具１０がヒートシンク１４を備えているので、複数の発光ダイオード１８のそれぞれで発生した熱を基板１６からヒートシンク１４に伝えて大気中に放散することができる。また、取付部２６が角度調整機構８６を有しているので、看板Ｋの表面に対する発光ダイオード１８の各列４８ａ〜４８ｅ（図４）の傾斜角度を現場の状況に応じて適宜調整することができる。
【００４７】
（変形例）
なお、本発明の実施にあたっては、上記実施形態に限定されず、本発明の目的を逸脱しない限りにおいて種々の変更が可能である。例えば、上記実施形態では、発光ダイオード１８の列４８ａ〜４８ｅの数が５つにされているが、当該列の数は、少なくとも３つあればよく、３つまたは４つにされてもよいし、６つ以上にされてもよい。
【００４８】
図４に示すように、上記実施形態では、複数の発光ダイオード１８のそれぞれを覆うようにして板状の配光部２０を設けているが、配光部２０は、図３に示すカバー２２と一体的に形成されてもよい。
【００４９】
図５（Ｂ）に示すように、上記実施形態のカバー２２は、本体部５８の鍔部６６が基板１６の平坦面３８に対して平行となる方向からレンズ体４６に対向するように構成されているが、カバー２２は、本体部５８の側壁部６４が基板１６の平坦面３８に対して平行となる方向からレンズ体４６に対向するように構成されてもよい。
【００５０】
図６（Ａ）に示すように、上記実施形態では、看板照明器具１０が取り付けられる支持体１２が、看板Ｋの前方斜め上方に設けられているが、支持体１２は、看板Ｋの前方斜め下方に設けられてもよい。
【符号の説明】
【００５１】
Ｓ…出光領域、１０…看板照明器具、１２…支持体、１４…ヒートシンク、１６…基板、
１８…発光ダイオード、２０…配光部、２２…カバー、３８…平坦面、４４…発光面、
４６…レンズ体、５８…本体部。
【図１】
2020004628.tif 000003
【図２】
2020004628.tif 000004
【図３】
2020004628.tif 000005
【図４】
2020004628.tif 000006
【図５】
2020004628.tif 000007
【図６】
2020004628.tif 000008